(57)【要約】【課題】  画像形成装置を使いこなすための空間を確保するとともに、当該空間を有効活用することを目的とする。【解決手段】  画像形成装置１は、シートに画像を形成する画像形成部７モジュールと、画像形成部７モジュールの上方に配置される天板２００と、を備え、天板２００は、画像形成部７よりも幅方向の寸法が大きく形成され、画像形成部７の上方に空間を空けて配置される。天板２００は、画像形成部７および画像形成モジュール１００は、幅方向（Ｘ軸方向）における天板２００の左端（一端）２００Ｌ側に寄せて配置されている。【選択図】図１
2020056811.tif 000002
【特許請求の範囲】
【請求項１】
シートに画像を形成する画像形成部と、前記画像形成部の上方に配置される天板と、を備えた画像形成装置であって、
前記天板は、前記画像形成部よりも幅方向の寸法が大きく形成され、前記画像形成部の上方に空間を空けて配置されることを特徴とする画像形成装置。
【請求項２】
前記画像形成部は、幅方向における前記天板の一端側に寄せて配置されていることを特徴とする請求項１記載の画像形成装置。
【請求項３】
前記天板と前記画像形成部の間の空間は、前記画像形成部よりも幅方向の寸法が大きく形成されることを特徴とする請求項１または２記載の画像形成装置。
【請求項４】
幅方向における前記天板の両端の位置にそれぞれ側板を備えることを特徴とする請求項１〜３の何れか記載の画像形成装置。
【請求項５】
奥行方向における前記天板の後端の位置に側板を備えることを特徴とする請求項１〜４の何れか記載の画像形成装置。
【請求項６】
前記画像形成部より下方に、前記画像形成部よりも幅方向の寸法が大きい下方空間を形成していることを特徴とする請求項１〜５の何れか記載の画像形成装置。
【請求項７】
前記下方空間の幅方向の寸法が600mm以上であることを特徴とする請求項６記載の画像形成装置。
【請求項８】
前記天板は、上面が平坦であることを特徴とする請求項１〜７の何れか記載の画像形成装置。
【請求項９】
前記画像形成部よりも、幅方向における前記天板の他端側に側板を備えることを特徴とする請求項１〜８の何れか記載の画像形成装置。
【請求項１０】
前記画像形成部にシートを給送するシート給送部を備えることを特徴とする請求項１〜９の何れか記載の画像形成装置。
【請求項１１】
前記シート給送部から給送されるシートを搬送する搬送路と、前記搬送路をカバーするカバー位置と前記搬送路を開放する開放位置に移動可能な搬送路カバーと、を備え、
前記搬送路カバーが前記開放位置に移動する方向は、幅方向における前記天板の他端側である請求項１０記載の画像形成装置。
【請求項１２】
前記搬送路カバーが前記開放位置に位置する場合の、幅方向における前記天板の他端側の前記搬送路カバーの端部は、幅方向における前記天板の他端よりも内側に位置することを特徴とする請求項１１記載の画像形成装置。
【請求項１３】
原稿の画像を読み取る読取装置を備え、前記画像形成部は、前記読取装置が読み取った画像データに基づき、シートに画像を形成することを特徴とする請求項１〜１２の何れか記載の画像形成装置。
【請求項１４】
前記読取装置は、前記画像形成部の上端より下方、かつ前記画像形成部よりも、幅方向における前記天板の他端側に配置される請求項１３記載の画像形成装置。
【請求項１５】
前記天板は、前記画像形成部の上方に空間を空けて配置され、
前記天板と前記画像形成部の間の空間に、前記読取装置は配置されることを特徴とする請求項１３記載の画像形成装置。
【請求項１６】
原稿を搬送して搬送された原稿の画像を読み取る原稿搬送装置を備え、前記画像形成部は、前記原稿搬送装置が読み取った画像データに基づき、シートに画像を形成することを特徴とする請求項１〜１５の何れか記載の画像形成装置。
【請求項１７】
前記原稿搬送装置は、前記画像形成部の上端より下方、かつ前記画像形成部よりも、幅方向における前記天板の他端側に配置される請求項１６記載の画像形成装置。
【請求項１８】
前記天板は、前記画像形成部の上方に空間を空けて配置され、
前記天板と前記画像形成部の間の空間に、前記原稿搬送装置は配置されることを特徴とする請求項１６記載の画像形成装置。
【発明の詳細な説明】
【技術分野】
【０００１】
本発明は、画像形成装置に関する。
【背景技術】
【０００２】
従来、天板を有する画像形成装置が知られている。
【０００３】
特許文献１には、シートに画像を記録する記録装置と、前記記録装置上部に配置され、原稿の画像を読取る読取装置と、前記読取装置上方に設けられ、上面が略凹凸のない平滑面である天板と、を有する画像形成装置が記載されている。
【発明の概要】
【発明が解決しようとする課題】
【０００４】
本発明は、画像形成装置を使いこなすための空間を確保するとともに、当該空間を有効活用することを目的とする。
【課題を解決するための手段】
【０００５】
本発明は、シートに画像を形成する画像形成部と、前記画像形成部の上方に配置される天板と、を備えた画像形成装置であって、前記天板は、前記画像形成部よりも幅方向の寸法が大きく形成され、前記画像形成部の上方に空間を空けて配置されることを特徴とする画像形成装置である。
【発明の効果】
【０００６】
本発明によれば、画像形成装置を使いこなすための空間を確保するとともに、当該空間を有効活用することができる。
【図面の簡単な説明】
【０００７】
【図１】本発明の一実施形態である画像形成装置の正面図である。
【図２】図１に示した画像形成装置の一部内部構成を示す正面図である。
【図３】図１に示した画像形成装置のＡ−Ａ断面図である。
【図４】図１に示した画像形成装置のＢ−Ｂ断面図である。
【図５】図１に示した画像形成装置の使用状況を示す正面図である。
【図６】図１に示した画像形成装置の変形例を示す上面図および正面図である。
【図７】図１に示した画像形成装置の第２の変形例を示す上面図および正面図である。
【図８】図１に示した画像形成装置の第３の変形例を示す上面図および正面図である。
【図９】図１に示した画像形成装置の第４の変形例を示す上面図および正面図である。
【図１０】図１に示した画像形成装置の第５の変形例を示す上面図および正面図である。
【発明を実施するための形態】
【０００８】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【０００９】
図１は、本発明の一実施形態である画像形成装置１の正面図である。図１に示されるＸ軸方向は画像形成装置１の幅方向であり、Ｙ軸方向は画像形成装置１の高さ方向である。
【００１０】
画像形成装置１は、シートに画像を形成する画像形成モジュール１００と、画像形成モジュール１００の上方に空間を空けて配置される天板２００と、天板２００と画像形成モジュール１００の間に形成される空間である上方空間３００と、幅方向（Ｘ軸方向）における画像形成モジュール１００の横（右側）に形成される空間である横空間８を備える。
【００１１】
画像形成装置１は、画像形成モジュール１００より下方に形成される開口部（下方空間）１０を内蔵しており、開口部１０を開放する開閉部１０Ａを備えるとともに、幅方向における天板２００の左端２００Ｌ側、右端２００Ｒ側の位置にそれぞれ左側板２１０Ｌ、右側板２１０Ｒを備える。左側板２１０Ｌ、右側板２１０Ｒは、天板２００に直接取り付けられていなくても良い。
【００１２】
画像形成モジュール１００は、シートに画像を形成する画像形成部７を内蔵しており、画像形成されたシートが排紙される排紙部５と、各々画像形成部７にシートを給送するシート給送部９Ａ、９Ｂと、シート給送部９Ａ、９Ｂから給送されるシートを搬送する搬送路７０を有する。天板２００は、上方空間３００を空けて、画像形成部７の上方に配置されており、横空間８は、幅方向（Ｘ軸方向）における画像形成部７の横（右側）に形成されている。
【００１３】
排紙部５は、上方空間３００を介して天板２００で上方を覆われている。排紙部５と天板２００の間の上方空間３００は、排紙部５に積載された排出シートの取り出し作業を容易に行うために十分なスペースを有している。シート給送部９Ａ、９Ｂは、シートを積載するシートトレイとして構成されており、画像形成モジュール１００の前面方向に引っ張られることで、画像形成モジュール１００内部から少なくともその一部を引き出される。
【００１４】
画像形成モジュール１００の幅方向における左端１００Ｌは、画像形成装置１の左側板２１０Ｌによりカバーされ、画像形成モジュール１００の幅方向における右端１００Ｒは、右側板１１０Ｒによりカバーされる。右側板１１０Ｒは、画像形成部７よりも、幅方向における天板２００の他端側に備えられる。これにより、画像形成モジュール１００および画像形成部７に対して横空間８を確実に区分することができる。
【００１５】
ここで、天板２００の幅方向における寸法Ｗ２００が、画像形成モジュール１００の幅方向における寸法Ｗ１００および画像形成部７の幅方向における寸法より大きくなるように、天板２００は形成されており、これにより、画像形成装置１を使いこなすための空間を幅方向（Ｗ２００）に確保することができる。
【００１６】
Ｗ２００は一例として９００ｍｍ以下である。このようにオフィス家具、一例として書類等を収納するキャビネット等の大きさを基準として幅を決めることで、画像形成装置１をオフィスに設置した際に画像形成装置１が元々あった通路に出っ張ることがない。例えば車椅子ユーザの通路を確保しやすい。
【００１７】
天板２００は、上面が平坦に構成されており、これにより、天板２００の上にモノを置くことができて、作業台として使うことができる。
【００１８】
画像形成モジュール１００および画像形成部７は、幅方向における天板２００の左端２００Ｌ側に寄せて配置されており、横空間８は、画像形成モジュール１００の右側板１１０Ｒと画像形成装置１の右側板２１０Ｒの間、かつ画像形成モジュール１００の上端１００Ｕより下方の空間として配置される。これにより、画像形成モジュール１００および画像形成部７の横（右側）の横空間８を有効活用することができ、画像形成モジュール１００および画像形成部７の横（右側）にモノを収容できるスペースを確保することができる。横空間８には、トナーやシートなどのサプライ品を入れてもよい。また横空間８は、耐熱性の高い部材で覆われているので、電子機器などを入れても良い。
【００１９】
さらに、画像形成モジュール１００の上端１００Ｕを平面とすることにより、上方空間３００の有効活用が図れる。例えば、上端１００Ｕの平面がモノを置くのに必要なスペースを有しており、排紙部５から排紙された印刷済のシートをストックしておくこともできるし、筆記用具などの小物を置くこともできる。
【００２０】
そして、幅方向における天板２００の左端２００Ｌ、右端２００Ｒにそれぞれ右側板２１０Ｌ、左側板２１０Ｒを備えることにより、画像形成装置１の左右にモノが置かれても、画像形成装置１を使いこなすための空間を幅方向（Ｗ２００）に確実に確保することができる。
【００２１】
また、上方空間３００の幅方向における寸法Ｗ３００が、画像形成モジュール１００および画像形成部７の幅方向における寸法Ｗ１００より大きくなるように、上方空間３００が形成されている。これにより、上方空間３００を幅方向に有効活用し、画像形成モジュール１００および画像形成部７の上方にモノを収容できるスペースを確保することができる。上方空間３００には、トナーやシートなどのサプライ品を入れてもよい。また上方空間３００は、耐熱性の高い部材で覆われているので、電子機器などを入れても良い。
【００２２】
図２は、図１に示した画像形成装置１の一部内部構成を示す正面図である。具体的には、図１の画像形成装置１から開閉部１０Ａを除いた図である。
【００２３】
開口部１０の幅方向における寸法Ｗ１０が、画像形成モジュール１００の幅方向における寸法Ｗ１００および画像形成部７の幅方向における寸法より大きくなるように、開口部１０が形成されている。これにより、開口部１０を幅方向（Ｘ軸方向）に有効活用することができ、画像形成モジュール１００および画像形成部７の下方にトナーやシートなどのサプライ品等のモノを収容できるスペースや、車椅子ユーザの足が入るスペースを確保することができる。車椅子ユーザは、画像形成装置１を使用するときに開口部１０に足を入れることで、画像形成装置１に近づくことができる。
【００２４】
開口部１０の幅方向の寸法Ｗ１０は６００ｍｍ以上、あるいはＪＩＳ―Ｔ９２０１に定める車椅子のシート幅Ｗ１以上である。これにより、車椅子ユーザの足が入るスペースを確実に確保することができる。例えば画像形成装置１の幅Ｗ２００を６００ｍｍ以上でかつ９００ｍｍ以下とすることで、車椅子の足置き部分を入れるための開口部１０を設けることができ、さらにオフィスに設置した際に画像形成装置１が元々あった通路に出っ張ることがない。また、開口部１０は、耐熱性の高い部材で覆われているので、電子機器などを入れても良い。
【００２５】
図３は、図１に示した画像形成装置のＡ−Ａ断面図である。図３に示されるＺ軸方向は画像形成装置１の奥行き方向である。上方空間３００、および開口部１０は、ともに正面側（Ｚ軸方向における図の右側）に開口している。
【００２６】
画像形成装置１は、奥行方向における天板２００の後端２００Ｅの位置に後側板２１０Ｅを備える。これにより、画像形成装置１の後方にモノが置かれても、画像形成装置１を使いこなすための空間を奥行方向（Ｚ軸方向）に確実に確保することができる。後側板２１０Ｅは、天板２００に直接取り付けられていなくても良い。
【００２７】
画像形成部７は、ブラック、シアン、マゼンタ、イエロー各色の画像を形成する画像形成ユニット７３と、画像形成ユニット７３が形成した各色の画像を中間転写し、搬送路７０を搬送されるシートに中間転写された画像を二次転写する転写部７４を備える。
【００２８】
図３では、いわゆるフルカラー電子写真方式の画像形成部７を例に説明を行ったが画像形成部７の方式はこれに限るものではない。例えばブラックトナーのみで画像を形成するモノクロ電子写真方式の画像形成部７としてもよい。また、各シート給送部９Ａ、９Ｂから搬送されたシートにインクジェットヘッドで画像を形成するインクジェット方式の画像形成部７であってもよい。
【００２９】
図４は、図１に示した画像形成装置のＢ−Ｂ断面図である。上方空間３００、および開口部１０は、ともに正面側（Ｚ軸方向における図の右側）に開口している。
【００３０】
画像形成装置１は、横空間８には、画像形成装置１の内部空間に形成される収納スペース８５、収納スペース８５を開放する横空間ドア８１を備える。
【００３１】
図５は、図１に示した画像形成装置の使用状況を示す正面図であって、横空間８の内部構成を示す図である。
【００３２】
画像形成装置１は、天板２００とほぼ同じ高さに画像形成装置１への操作入力を受け付ける操作部４を備え、画像形成モジュール１００は、搬送路７０をカバーする搬送路カバー８２を備える。
【００３３】
搬送路カバー８２は、搬送路７０をカバーするカバー位置８２Ａと搬送路を開放する開放位置８２Ｂに移動可能であって、搬送路カバー８２が開放位置８２Ｂに移動する方向は、幅方向（Ｘ軸方向）における天板２００の右端２００Ｒ側である。
【００３４】
これにより、横空間８を有効活用して、搬送路カバー８２を開放して搬送路７０からシートを取り出すジャム処理を行うことができる。
【００３５】
搬送路カバー８２が開放位置８２Ｂに位置する場合の画像形成モジュール１００が占有する幅方向の寸法Ｗ１００Ｂは、搬送路カバー８２がカバー位置８２Ａに位置する場合の画像形成モジュール１００が占有する幅方向の寸法Ｗ１００Ａよりも大きい。
【００３６】
搬送路カバー８２が開放位置８２Ｂに位置する場合の、幅方向（Ｘ軸方向）における天板２００の右側端部（他端）２００Ｒ側の搬送路カバー８２の端部８２０は、幅方向における天板２００の右側端部（他端）２００Ｒよりも内側に位置する。すなわち、搬送路カバー８２がカバー位置８２Ａに位置する場合の画像形成モジュール１００が占有する幅方向の寸法Ｗ１００Ｂは、天板２００の幅方向における寸法Ｗ２００よりも小さい。
【００３７】
これにより、画像形成装置１の右側にモノが置かれたとしても、横空間８内で、搬送路カバー８２を開放して搬送路７０からシートを取り出すジャム処理を行うことができる。
【００３８】
図６は、図１に示した画像形成装置の変形例を示す上面図（ａ）および正面図（ｂ）である。
【００３９】
画像形成装置１は、原稿の画像を読取る読取装置の一例としてのスキャナ２を備え、スキャナ２は、原稿を押圧する圧板２Ａと、載置された原稿の画像を読取るスキャナ本体２Ｂを備える。画像形成モジュール１００の画像形成部７は、スキャナ２が読み取った画像データに基づき、シートに画像を形成する。
【００４０】
圧板２Ａは、スキャナ本体２Ｂに対し開閉可能であり、スキャナ本体２Ｂの上部を覆うことにより閉じる閉位置と、スキャナ本体２Ｂの上部を開放する開位置を取ることが可能である。図６は圧板２Ａが閉位置にある場合を示している。ユーザは圧板２Ａを開位置に移動させた状態でスキャナ本体２Ｂに原稿を積置し、圧板２Ａを閉位置に移動させてスキャナ本体２Ｂに原稿読み取りを行わせる。圧板２Ａは、閉位置において原稿に圧を加えて原稿がずれることを防止できる。また圧板２Ａは閉位置において原稿読み取り時の背景板となることで良好な読取を行うことができる。
【００４１】
圧板２Ａは、その上面が、天板２００の上面と面一になるように配置されている。高さ方向（Ｙ軸方向）からみた画像形成装置１が占有する領域は、上面図（ａ）に示されるように、天板２００が占有する領域と、圧板２Ａが占有する領域に区画されている。
【００４２】
上方空間３００は、圧板２Ａおよび天板２００の下方、かつ画像形成モジュール１００および画像形成部７の上方に形成されている。上方空間３００には、圧板２Ａの右側端部下方に仕切板３１０が設けられており、これにより、圧板２Ａおよびスキャナ本体２Ｂを支持するとともに、上方空間３００が左右に仕切られている。
【００４３】
スキャナ本体２Ｂは上方空間３００の仕切板３１０より左側の上方に配置されており、これにより上方空間３００を有効活用することができる。横空間８の上方に平面状の板を設けることで仕切り版３１０と右側板の間の空間を、排紙部５で排紙された印刷済のシートの束や、小物などの置き場所として用いることができる。仕切り版３１０を設けたことで、筆記用具などの小物が転がって排紙部５に落ちることを防止することができる。また平面状の板を画像形成装置の手前側に引き出し可能としても良い。
【００４４】
図７は、図１に示した画像形成装置の第２の変形例を示す上面図（ａ）および正面図（ｂ）である。
【００４５】
画像形成装置１は、スキャナ２を備え、スキャナ２は、圧板２Ａと、スキャナ本体２Ｂを備える。
【００４６】
画像形成装置１は、原稿を搬送して搬送された原稿の画像を読み取る原稿搬送装置３を備え、画像形成モジュール１００の画像形成部７は、原稿搬送装置３が読み取った画像データに基づき、シートに画像を形成する。
【００４７】
圧板２Ａは、その上面が、天板２００の上面と面一になるように配置されている。原稿搬送装置３は、その上面が、天板２００の上面より下方、かつ天板２００の下面より上方に位置するように配置されている。
【００４８】
高さ方向（Ｙ軸方向）からみた画像形成装置１が占有する領域は、上面図（ａ）に示されるように、天板２００が占有する領域と、圧板２Ａが占有する領域と、原稿搬送装置３が占有する領域とに区画されている。
【００４９】
上方空間３００は、圧板２Ａおよび天板２００の下方、かつ画像形成モジュール１００および画像形成部７の上方に形成されている。
【００５０】
スキャナ本体２Ｂは上方空間３００の左側の上方に配置されており、原稿搬送装置３の下部は上方空間３００の右側の上方に配置されている。これにより上方空間３００を有効活用することができる。
【００５１】
図８は、図１に示した画像形成装置の第３の変形例を示す上面図（ａ）および正面図（ｂ）である。
【００５２】
画像形成装置１は、スキャナ２と原稿搬送装置３を備え、スキャナ２はスキャナ本体２Ｂを備える。
【００５３】
天板２００の右側は一部が切り欠かれており、天板切り欠き部２４０が形成されている。高さ方向（Ｙ軸方向）からみた画像形成装置１が占有する領域は、上面図（ａ）に示されるように、天板２００が占有する領域と、天板切り欠き部２４０が占有する領域に区画されており、天板切り欠き部２４０には、下方の原稿搬送装置３が臨んでいる。
【００５４】
上方空間３００は、天板２００の下方、かつ画像形成モジュール１００および画像形成部７の上方に形成されている。
【００５５】
スキャナ本体２Ｂは、画像形成モジュール１００の上端より下方、画像形成モジュール１００および画像形成部７よりも、幅方向（Ｘ軸方向）における天板２００の右側端部（他端）２００Ｒ側である横空間８に配置される。
【００５６】
これにより、画像形成装置１の右側にモノが置かれたとしても、横空間８を有効活用して、横空間８内にスキャナ本体２Ｂを配置することができる。
【００５７】
原稿搬送装置３は、スキャナ本体２Ｂの上方に配置されており、原稿搬送装置３の底部は、スキャナ２の圧板と兼用されている。原稿搬送装置３は、スキャナ本体２Ｂに対し開閉可能であり、スキャナ本体２Ｂの上部を覆うことにより閉じる閉位置と、スキャナ本体２Ｂの上部を開放する開位置を取ることが可能である。図８は原稿搬送装置３が閉位置にある場合を示している。ユーザは自動原稿搬送装置３を開位置に移動させた状態でスキャナ本体２Ｂに原稿やシートを置いたり取り出したりし、自動原稿搬送装置３を閉位置に移動させて自動原稿搬送装置３を使用する。
【００５８】
天板切り欠き部２４０を設けることにより、原稿搬送装置３が天板２に干渉することが防止される。
【００５９】
原稿搬送装置３は、その下部は横空間８に配置され、その上部は上方空間３００に配置されている。これにより、上方空間３００および横空間８を有効活用することができる。
【００６０】
図９は、図１に示した画像形成装置の第４の変形例を示す上面図（ａ）および正面図（ｂ）である。
【００６１】
画像形成装置１は、スキャナ２と透明天板２５０を備え、スキャナ２は圧板２Ａとスキャナ本体２Ｂを備える。透明天板２５０は、その上面が、天板２００の上面と面一になるように配置されている。
【００６２】
高さ方向（Ｙ軸方向）からみた画像形成装置１が占有する領域は、上面図（ａ）に示されるように、天板２００が占有する領域と、透明天板２５０が占有する領域に区画されており、透明天板２５０からは、下方のスキャナ２が透視できる。
【００６３】
上方空間３００は、天板２００および透明天板２５０の下方、かつ画像形成モジュール１００および画像形成部７の上方に形成されている。
【００６４】
スキャナ２は、横空間８に配置される。これにより、画像形成装置１の右側にモノが置かれたとしても、横空間８を有効活用して、横空間８内にスキャナ２を配置することができる。上方空間３００の高さ方向（Ｙ方向）の高さは、少なくともスキャナ２の圧板２Ａが開く程度の高さ（圧板２Ａから透明天板２５０の下面までの距離）が必要である。例えば、Ａ４サイズの用紙がスキャンする場合を考えると、２１０ｍｍ以上は必要となる。
【００６５】
また、圧板２Ａを開閉する際に、透明天板２５０を介して上方から視認することができるため、圧板２Ａの操作性が向上する。  
【００６６】
図１０は、図１に示した画像形成装置の第５の変形例を示す上面図（ａ）および正面図（ｂ）である。
【００６７】
画像形成装置１は、原稿搬送装置３と透明天板２５０を備え、透明天板２５０は、その上面が、天板２００の上面と面一になるように配置されている。
【００６８】
高さ方向（Ｙ軸方向）からみた画像形成装置１が占有する領域は、上面図（ａ）に示されるように、天板２００が占有する領域と、透明天板２５０が占有する領域に区画されており、透明天板２５０からは、下方の原稿搬送装置３および画像形成モジュール１００の排紙部５が透視できる。
【００６９】
上方空間３００は、天板２００および透明天板２５０の下方、かつ画像形成モジュール１００および画像形成部７の上方に形成されている。
【００７０】
原稿搬送装置３は横空間８に配置される。これにより、画像形成装置１の右側にモノが置かれたとしても、横空間８を有効活用して、横空間８内に原稿搬送装置３を配置することができる。
【００７１】
また、原稿搬送装置３を操作する際や排紙部５からシートを取り出す際に、透明天板２５０を介して上方から視認することができるため、操作性が向上する。
【００７２】
以上説明したように、本発明の一実施形態に係る画像形成装置１は、シートに画像を形成する画像形成部７を有する画像形成モジュール１００と、画像形成部７および画像形成モジュール１００の上方に配置される天板２００と、を備え、天板２００は、画像形成部７および画像形成モジュール１００よりも幅方向（Ｘ軸方向）の寸法が大きく形成され（Ｗ２００＞Ｗ１００）、画像形成部７および画像形成モジュール１００の上方に空間を空けて配置される。
【００７３】
これにより、画像形成装置１を使いこなすための空間を幅方向に確保（Ｗ２００）することができる。また、画像形成装置１が占める空間を有効活用することができる。
【００７４】
天板２００は、画像形成部７および画像形成モジュール１００は、幅方向（Ｘ軸方向）における天板２００の左端（一端）２００Ｌ側に寄せて配置されている。
【００７５】
これにより、幅方向における画像形成部７および画像形成モジュール１００の横（右側）であって、画像形成モジュール１００の上端１００Ｕより下方の空間である横空間８を有効活用することができ、画像形成部７および画像形成モジュール１００の横（右側）にモノを収容できるスペースを確保することができる。
【００７６】
天板２００と画像形成部７および画像形成モジュール１００の間の空間である上方空間３００は、画像形成部７および画像形成モジュール１００よりも幅方向の寸法が大きく形成される（Ｗ３００＞Ｗ１００）。これにより、上方空間３００を幅方向（Ｘ軸方向）に有効活用し、画像形成部７および画像形成モジュール１００の上方にモノを収容できるスペースを確保することができる。
【００７７】
幅方向における天板２００の左端２００Ｌ、右端２００Ｒの位置にそれぞれ右側板２１０Ｌ、左側板２１０Ｒを備えることにより、画像形成装置１の左右にモノが置かれても、画像形成装置１を使いこなすための空間を幅方向（Ｘ軸方向：Ｗ２００）に確実に確保することができる。
【００７８】
奥行方向における天板２００の後端２００Ｅの位置に後側板２１０Ｅを備えることにより、画像形成装置１の後方にモノが置かれても、画像形成装置１を使いこなすための空間を奥行方向（Ｚ軸方向）に確実に確保することができる。
【００７９】
画像形成部７および画像形成モジュール１００より下方に、画像形成部７および画像形成モジュール１００よりも幅方向（Ｘ軸方向）の寸法（Ｗ１０＞Ｗ１００）が大きい下方空間１０を形成する。これにより、下方空間１０を幅方向（Ｘ軸方向）に有効活用することができ、画像形成部７および画像形成モジュール１００の下方にモノを収容できるスペースや、車椅子ユーザの足が入るスペースを確保することができる。
【００８０】
下方空間１０の幅方向の寸法Ｗ１０は６００ｍｍ以上、あるいはＪＩＳ―Ｔ９２０１に定める車椅子のシート幅Ｗ１以上である。これにより、車椅子ユーザの足が入るスペース6を確実に確保することができる。
【００８１】
天板２００は、上面が平坦であることにより、天板２００の上にモノを置くことができて、作業台として使うことができる。
【００８２】
画像形成モジュール１００は、画像形成部７よりも、幅方向（Ｘ軸方向）における天板２００の右側端部（他端）２００Ｒ側に右側板１１０Ｒを備えることにより、画像形成部７および画像形成モジュール１００に対して横空間８を確実に区分することができる。
【００８３】
画像形成モジュール１００は、画像形成部７にシートを給送するシート給送部９Ａ、９Ｂを備える。
【００８４】
画像形成モジュール１００は、さらに、シート給送部９Ａ、９Ｂから給送されるシートを搬送する搬送路７０と、搬送路をカバーするカバー位置８２Ａと搬送路を開放する開放位置８２Ｂに移動可能な搬送路カバー８２と、を備え、搬送路カバー８２が開放位置８２Ｂに移動する方向は、幅方向（Ｘ軸方向）における天板２００の右側端部（他端）２００Ｒ側である。
【００８５】
これにより、横空間８を有効活用して、搬送路カバー８２を開放して搬送路７０からシートを取り出すジャム処理を行うことができる。
【００８６】
搬送路カバー８２が開放位置８２Ｂに位置する場合の、幅方向（Ｘ軸方向）における天板２００の右側端部（他端）２００Ｒ側の搬送路カバー８２の端部８２０は、幅方向における天板２００の右側端部（他端）２００Ｒよりも内側に位置する。これにより、画像形成装置１の右側にモノが置かれたとしても、横空間８内で、搬送路カバー８２を開放して搬送路７０からシートを取り出すジャム処理を行うことができる。
【００８７】
画像形成装置１は、原稿の画像を読み取る読取装置２を備え、画像形成モジュール１００の画像形成部７は、読取装置２が読み取った画像データに基づき、シートに画像を形成する。読取装置２は、画像形成モジュール１００の上端より下方、画像形成部７および画像形成モジュール１００よりも、幅方向（Ｘ軸方向）における天板２００の右側端部（他端）２００Ｒ側である横空間８に配置される。
【００８８】
これにより、画像形成装置１の右側にモノが置かれたとしても、横空間８を有効活用して、横空間８内に読取装置２を配置することができる。
【００８９】
あるいは、読取装置２を上方空間３００に配置することにより、上方空間３００を有効活用することができる。
【００９０】
画像形成装置１は、原稿を搬送して搬送された原稿の画像を読み取る原稿搬送装置３を備え、画像形成モジュール１００の画像形成部７は、原稿搬送装置３が読み取った画像データに基づき、シートに画像を形成する。原稿搬送装置３は、画像形成モジュール１００の上端より下方、画像形成部７および画像形成モジュール１００よりも、幅方向（Ｘ軸方向）における天板２００の右側端部（他端）２００Ｒ側である横空間８に配置される。
【００９１】
これにより、画像形成装置１の右側にモノが置かれたとしても、横空間８を有効活用して、横空間８内に原稿搬送装置３を配置することができる。
【００９２】
あるいは、原稿搬送装置３を上方空間３００に配置することにより、上方空間３００を有効活用することができる。
【符号の説明】
【００９３】
１  画像形成装置
２  スキャナ（読取装置）
２Ａ  圧板
３  原稿搬送装置
５  排紙部
７  画像形成部
８  横空間
９Ａ、９Ｂ  シート給送部
１０  下方空間
７０  搬送路
８２  搬送路カバー
８２０  端部
１００  画像形成モジュール
１００Ｕ  上端
１１０Ｒ  右側側板
２００  天板
２００Ｌ  左側端部（一端）
２００Ｒ  右側端部（他端）
２００Ｅ  後側端部（後端）
２１０Ｌ  左側側板
２１０Ｒ  右側側板
２１０Ｅ  後側板
３００  上方空間
【先行技術文献】
【特許文献】
【００９４】
【特許文献１】特開２００７−７８９９５
【図１】
2020056811.tif 000003
【図２】
2020056811.tif 000004
【図３】
2020056811.tif 000005
【図４】
2020056811.tif 000006
【図５】
2020056811.tif 000007
【図６】
2020056811.tif 000008
【図７】
2020056811.tif 000009
【図８】
2020056811.tif 000010
【図９】
2020056811.tif 000011
【図１０】
2020056811.tif 000012